(57)【要約】【課題】厚みの異なる板形状の重要物を保管することができるとともに、厚みが不均一な重要物をスムーズに外部に送出することができる重要物管理カセット、重要物管理ユニット及び重要物管理装置を提供する。【解決手段】この発明に係る重要物管理カセット１０は、重要物Ａを収納するカセット本体１１と、高さを変更可能である支持台２１と、支持台２１を高さが高くなる方向に付勢する高さ調整スプリング１５と、重要物Ａが積載されるホッパープレート２２と、支持台２１に対してホッパープレート２２を傾動可能に支持する上側円錐スプリング４２と、ホッパープレート２２との間で重要物Ａを挟持可能なピックローラ３１と、重要物Ａを重要物取出口１１ｃに送出するフィードローラ３２とを備える。また、この発明に係る重要物管理ユニット１及び重要物管理装置１００は、このような重要物管理カセット１０を有する。【選択図】図６
2018168534.tif 000002
【特許請求の範囲】
【請求項１】
内部に板形状の重要物を収納するとともに、前記重要物を外部に取り出すための重要物取出口が形成されるカセット本体と、
前記カセット本体の前記内部に設けられるとともに、高さを変更可能である支持台と、
前記カセット本体と前記支持台との間に設けられ、前記支持台を前記高さが高くなる方向に付勢する第一弾性部材と、
前記支持台の上方に設けられ、前記重要物が積載されるホッパープレートと、
前記支持台と前記ホッパープレートとの間に設けられ、前記ホッパープレートを傾動可能に支持する第二弾性部材と、
前記ホッパープレートの上方に設けられ、前記ホッパープレートとの間で前記重要物を挟持可能なピックローラと、
前記重要物取出口と前記ピックローラとの間に設けられ、前記重要物を前記重要物取出口に送出するフィードローラとを備える重要物管理カセット。
【請求項２】
前記フィードローラは、前記カセット本体に対してフィードローラ回動支点を介して回動可能に設けられる請求項１に記載の重要物管理カセット。
【請求項３】
前記カセット本体に回動可能に設けられるストッパープレートをさらに備え、
前記ストッパープレートが回動することにより、前記ストッパープレートの端部は、前記重要物の前後方向のずれを規制する重要物移動規制位置に移動する請求項１又は２に記載の重要物管理カセット。
【請求項４】
請求項１〜３のいずれか一項に記載の重要物管理カセットを有する重要物管理ユニット。
【請求項５】
請求項４に記載の重要物管理ユニットを有する重要物管理装置。
【発明の詳細な説明】
【技術分野】
【０００１】
この発明は、通帳や外貨パック等の重要物を収納して管理するための重要物管理カセット、重要物管理ユニット及び重要物管理装置に関する。
【背景技術】
【０００２】
特許文献１に示すような重要物管理装置には、通帳管理部、証書管理部、印鑑用の収納庫等、収納する重要物の種類によって数種類の引き出しが設けられている。ここで、通帳管理部の内部には、通帳が積み重ねられて保管され、通帳を取り出す時は、通帳管理部の正面に設けられた取出口を介して内部の通帳が一部ずつ取り出される。
【０００３】
重要物管理装置の内部から通帳を取り出す方法としては、特許文献２に示すように、重ねられた複数の通帳の一方向側を通帳押さえで押さえ、通帳押さえの反対側に設けられたローラで通帳を一部ずつ繰り出して外部に送出する方法が知られている。
【先行技術文献】
【特許文献】
【０００４】
【特許文献１】特開２０１６−１６０７０８号公報
【特許文献２】特開２０１１−２３５４８９号公報
【発明の概要】
【発明が解決しようとする課題】
【０００５】
しかしながら、特許文献１及び特許文献２の重要物管理装置の通帳管理部には通帳以外の重要物は保管することができず、通帳以外の板形状の重要物、例えば、外貨を封入した外貨パック等は別の場所で保管しなければならなかった。もし仮に、特許文献２に示す構造の通帳管理部で外貨パックを取り扱う場合、封入される外貨の種類や枚数によって各々の外貨パックの厚みが不均一となってしまうと、外貨パックをローラでスムーズに送出し難いという問題が生じる。
【０００６】
この発明は、このような問題を解決するためになされ、厚みの異なる板形状の重要物を保管することができるとともに、厚みが不均一な重要物をスムーズに外部に送出することができる重要物管理カセット、重要物管理ユニット及び重要物管理装置を提供することを目的とする。
【課題を解決するための手段】
【０００７】
上記の課題を解決するために、この発明に係る重要物管理カセットは、内部に板形状の重要物を収納するとともに、重要物を外部に取り出すための重要物取出口が形成されるカセット本体と、カセット本体の内部に設けられるとともに、高さを変更可能である支持台と、カセット本体と支持台との間に設けられ、支持台を高さが高くなる方向に付勢する第一弾性部材と、支持台の上方に設けられ、重要物が積載されるホッパープレートと、支持台とホッパープレートとの間に設けられ、ホッパープレートを傾動可能に支持する第二弾性部材と、ホッパープレートの上方に設けられ、ホッパープレートとの間で重要物を挟持可能なピックローラと、重要物取出口とピックローラとの間に設けられ、重要物を重要物取出口に送出するフィードローラとを備える。
【０００８】
また、この発明に係る重要物管理カセットのフィードローラは、カセット本体に対してフィードローラ回動支点を介して回動可能に設けられてもよい。
【０００９】
さらに、この発明に係る重要物管理カセットは、カセット本体に回動可能に設けられるストッパープレートをさらに備え、ストッパープレートが回動することにより、ストッパープレートの端部は、重要物の前後方向のずれを規制する重要物移動規制位置に移動してもよい。
【００１０】
また、この発明に係る重要物管理ユニットは、上述の重要物管理カセットを有する。
さらに、この発明に係る重要物管理装置は、上述の重要物管理ユニットを有する。
【発明の効果】
【００１１】
この発明に係る重要物管理カセット、重要物管理ユニット及び重要物管理装置によれば、厚みの異なる板形状の重要物を保管することができるとともに、厚みが不均一な重要物をスムーズに外部に送出することができる。
【図面の簡単な説明】
【００１２】
【図１】この発明の実施の形態１に係る重要物管理装置を示す斜視図である。
【図２】図１に示す重要物管理装置の重要物管理ユニットを示す斜視図である。
【図３】図１に示す重要物管理装置の重要物管理カセットを示す斜視図である。
【図４】図３に示す重要物管理カセットを示す側面図である。
【図５】図３に示す重要物管理カセットを示す断面側面図である。
【図６】図３に示す重要物管理カセットを示す断面側面図であり、ホッパープレートの上に重要物を載置した状態を示す図である。
【図７】図３に示す重要物管理カセットの重要物積載部を裏側から見た様子を示す斜視図である。
【図８】図３に示す重要物管理カセットの支持台及びホッパープレートの分解斜視図である。
【図９】図３に示す重要物管理カセットのピックローラ３１及びフィードローラ３２の近傍の構造を示す部分拡大図である。
【図１０】図３に示す重要物管理カセットのストッパープレートの動作を示す図である。
【図１１】図３に示す重要物管理カセットのストッパープレートの動作を示す図である。
【発明を実施するための形態】
【００１３】
以下、この発明の実施の形態について添付図面に基づいて説明する。
図１に示すように、重要物管理装置１００は、通帳や証書、外貨パック等の略長方形の板形状の重要物を保管する引き出し状の重要物管理ユニット１を有する。重要物管理ユニット１は、重要物管理装置１００の上から１段目及び２段目に設けられている。また、重要物管理装置１００の上部には、操作用のタッチパネル２が設けられる。
なお、重要物管理装置１００に対して、タッチパネル２が設けられる側を正面側Ｆとし、その反対側を背面側Ｂとする。また、以下の説明において、前後方向とは、正面側Ｆから背面側Ｂに向かう方向又は背面側Ｂから正面側Ｆに向かう方向をいうものとする。
【００１４】
図２に示すように、重要物管理ユニット１は、箱形状のユニット本体５と、箱状のユニット本体の内部に設けられる３個の重要物管理カセット１０とを有している。また、ユニット本体５の正面側Ｆには、３個の重要物管理カセット１０に各々対応する位置に取出口５ａが形成されている。
【００１５】
図３に示すように、重要物管理カセット１０は、箱状のカセット本体１１を有する。カセット本体１１の内部には、重要物積載部２０が設けられている。また、カセット本体１１の両側面には、各々、円弧形状の溝である第一案内孔１１ａが形成される。また、第一案内孔１１ａの下部には前後方向に直線的に延びる帯形状の溝である第二案内孔１１ｂが形成される。また、カセット本体１１の両側面には、各々、高さ調整スプリング１５が設けられる。また、カセット本体１１の正面側Ｆには、ユニット本体５の取出口５ａに対応する位置に重要物取出口１１ｃが設けられる。
【００１６】
図４及び５に示すように、重要物積載部２０は、支持台２１と、支持台２１の上方に設けられたホッパープレート２２とを有する。支持台２１の下面側には、前後方向に延びる板形状の突出部である突出板部２１ａが設けられている。また、突出板部２１ａには前後方向に直線的に延びる溝である第三案内孔２１ｂが形成される。さらに、支持台２１の下面側には下側円錐スプリング４１が設けられる。
【００１７】
また、支持台２１は、第一脚部２４ａ及び第二脚部２４ｂによって支持されている。第一脚部２４ａ及び第二脚部２４ｂは互いに交差し、脚部接続部２６を介して互いに回動可能に接続されている。脚部接続部２６には、第一案内孔１１ａを介してカセット本体１１の外部に突出する係合突出部２６ａが形成されており、係合突出部２６ａには高さ調整スプリング１５の一端１５ａが係合している。なお、高さ調整スプリング１５の他端１５ｂはカセット本体１１の外側の側面の正面側Ｆ寄りの箇所に固定されている。すなわち、高さ調整スプリング１５は、カセット本体１１と支持台２１との間に設けられる。また、第一脚部２４ａの下端２４ｃは第二脚部２４ｂの下端２４ｄよりも正面側Ｆに配置される。第一脚部２４ａの下端２４ｃはカセット本体１１に固定されている。また、第二脚部２４ｂの下端２４ｄには、第二案内孔１１ｂに嵌合する係合部２４ｅが設けられ、第二脚部２４ｂの下端２４ｄは、第二案内孔１１ｂに沿って前後方向に移動可能である。また、第一脚部２４ａの上端２４ｆにも、突出板部２１ａの第三案内孔２１ｂに嵌合する係合部２４ｇが設けられ、第一脚部２４ａの上端２４ｆは、突出板部２１ａの第三案内孔２１ｂに沿って前後方向に移動可能である。さらにまた、第二脚部２４ｂの上端２４ｈは支持台２１の下面の正面側Ｆの端部に固定されている。ここで、図６に示すように、第一脚部２４ａの上端２４ｆ及び第二脚部２４ｂの下端２４ｄを、各々、第三案内孔２１ｂ及び第二案内孔１１ｂに沿って背面側Ｂに移動させることにより、支持台２１の高さを低くすることができる。すなわち、支持台２１の高さは変更可能である。なお、支持台２１は、脚部接続部２６に取付けられた高さ調整スプリング１５によって、高さが高くなる方向に付勢されている。
ここで、図７に示すように、支持台２１の突出板部２１ａ、第一脚部２４ａ、第二脚部２４ｂ及び脚部接続部２６は、正面側Ｆから見て左右対称に一対ずつ設けられている。また、左右一対の第二脚部２４ｂの間にはリンクブラケット２７が設けられる。
また、高さ調整スプリング１５は第一弾性部材を構成する。
【００１８】
また、図５に示すように、ホッパープレート２２の下面側には、前後方向に並んだ一対のプレート支持部２５ａ，２５ｂが設けられている。一対のプレート支持部２５ａ，２５ｂの上端部は、ホッパープレート２２に形成された一対の取付孔２２ａ，２２ｂの各々に固定されて係合されている。さらに、一対のプレート支持部２５ａ，２５ｂの下端部は支持台２１に形成される一対の取付孔２１ｃ，２１ｄの各々に遊びを持った状態で係合される。さらに、図８に示すように、ホッパープレート２２と支持台２１との間には上側円錐スプリング４２が設けられる。上側円錐スプリング４２は、支持台２１の下面に設けられる下側円錐スプリング４１に対応する位置に配置されている。また、上側円錐スプリング４２は、正面側Ｆ寄りのプレート支持部２５ａの周りを囲むように設けられる。ホッパープレート２２は、上側円錐スプリング４２を介して、支持台２１に対して前後左右に傾動可能に設けられている。
ここで、上側円錐スプリング４２は第二弾性部材を構成する。
【００１９】
また、図９に示すように、ホッパープレート２２の正面側Ｆの端部近傍の上方には、ピックローラ３１が設けられる。また、ピックローラ３１の正面側Ｆ、すなわち重要物取出口１１ｃとピックローラ３１との間にはフィードローラ３２が設けられる。フィードローラ３２はワンウェイクラッチを有する。さらに、フィードローラ３２の下方には、フィードローラ３２に隣接してリバースローラ３３が設けられる。リバースローラ３３はトルクリミッタを有している。また、フィードローラ３２の正面側Ｆには駆動力伝達ローラ３４が設けられる。ピックローラ３１と駆動力伝達ローラ３４との間には第一ベルト３５が架け渡されている。また、フィードローラ３２と駆動力伝達ローラ３４との間には第二ベルト３６が架け渡される。また、駆動力伝達ローラ３４の中心部は、フィードローラ回動支点３８を構成する。また、図１０（ｉｉ）に示すように、カセット本体１１の外側の側面下部の背面側Ｂには、図示しないモータに接続される駆動ローラ３９が設けられている。駆動力伝達ローラ３４と駆動ローラ３９との間には第三ベルト３７が架け渡される。
【００２０】
また、図１０（ｉ）に示すように、カセット本体１１の正面側Ｆから見て左側Ｌの上部には、ストッパープレート５０が設けられている。ストッパープレート５０は、スプリング蝶番５１を介してカセット本体１１に回動可能に取付けられる。また、ストッパープレート５０にはスプリング蝶番５１に隣接するベアリング５２が設けられている。ストッパープレート５０はスプリング蝶番５１によって、右側Ｒに向かって左右方向に延びるように付勢される。またこの時、ベアリング５２は、カセット本体１１の外側に突出する。
【００２１】
また、図１０（ｉｉ）に示すように、カセット本体１１の左側Ｌの側面には、リンク部材６０がリンク支点６１を介して回動可能に取付けられる。また、リンク部材６０の下部には、リンク部材スプリング６４の一端が接続される。リンク部材スプリング６４の他端はカセット本体１１に固定される。リンク部材６０は、カセット本体１１の上下方向に垂直に延びる状態になるように、リンク部材スプリング６４によって付勢される。そして、リンク部材６０がカセット本体１１の上下方向に垂直に延びている状態で、リンク部材６０の下端部６２はカセット本体１１の底面よりも下方に突出している。また、リンク部材６０の上端部６３は、ストッパープレート５０のベアリング５２の正面側Ｆに近接して配置されている。
【００２２】
次に、図４〜７を参照して、重要物管理カセット１０の動作について説明する。
まず、ホッパープレート２２に通帳などの重要物Ａを積載しない状態では、図４及び５に示すように、ホッパープレート２２の上面はピックローラ３１に隣接する位置にある。
そして次に、図６に示すように、複数の重要物Ａをホッパープレート２２の上に積載する。この時、重要物Ａの重みによる重力及び使用者が重要物Ａをホッパープレート２２に押し付ける力によって、支持台２１及びホッパープレート２２の高さは低くなる。また、複数の重要物Ａはホッパープレート２２とピックローラ３１との間に挟持された状態で保管される。なお、重要物Ａの積載量が多くなると支持台２１の高さがさらに下がり、下側円錐スプリング４１が、図７に示すリンクブラケット２７に当接する。従って、下側円錐スプリング４１は支持台２１とリンクブラケット２７に挟まれた状態となり、支持台２１及びホッパープレート２２を上方に押し上げるための力が増大する。これにより、保管される重要物Ａの数が多くなって、カセット本体１１の内面と重要物Ａとの間に働く摩擦力が大きくなった場合であっても、支持台２１及びホッパープレート２２を適切に上方に付勢することができる。
【００２３】
さらに次に、重要物Ａを重要物取出口１１ｃから取り出す場合、図４に示す駆動ローラ３９を図示しないモータによって回転駆動させる。これにより、第三ベルト３７を介して駆動力伝達ローラ３４も回転し、またこれに伴って、第一ベルト３５及び第二ベルト３６を介して、ピックローラ３１及びフィードローラ３２も回転する。そして、一番上に積載された重要物Ａはピックローラ３１によってピックアップされてフィードローラ３２とリバースローラ３３との間に送り込まれる。この時、重要物Ａに凹凸や膨らみがあって厚みが均一でない場合でも、ホッパープレート２２が適宜傾動することによって、ピックローラ３１との間で重要物Ａの各々の厚みのばらつきが吸収される。また、図９に示すように、フィードローラ３２は、重要物Ａの厚みに応じてフィードローラ回動支点３８を中心に矢印方向Ｐ１に回動する。これにより、フィードローラ３２とリバースローラ３３との間の間隔は適宜変化する。また、リバースローラ３３に設けられたトルクリミッタの機能により、重要物Ａは一部ずつ確実に分離されて搬送される。そして、重要物Ａはカセット本体１１の重要物取出口１１ｃ及び重要物管理ユニット１の取出口５ａを介して、重要物管理装置１００の外部に取り出される。
【００２４】
なお、駆動ローラ３９は逆方向に回転駆動させることもできる。そして、これに伴って、ピックローラ３１及びフィードローラ３２は、重要物Ａを送出する向きとは反対の方向、すなわち、重要物Ａをカセット本体１１の内部に引き戻す方向に回転させられる。従って、重要物Ａが重要物取出口１１ｃから外部に露出した状態で取り忘れられた場合であっても、ピックローラ３１及びフィードローラ３２を、重要物Ａの送出時とは逆の方向に回転させて、重要物Ａをカセット本体１１の内部に引き戻すことができる。
【００２５】
また次に、図１０及び１１を参照して、ストッパープレート５０及びリンク部材６０の動作について説明する。なお、ストッパープレート５０は移動規制部を構成する。
まず、重要物管理カセット１０が重要物管理ユニット１から取り出され、重要物Ａがホッパープレート２２に積載されていない状態において、図１０（ｉ）に示すように、ストッパープレート５０は右側Ｒに向かって左右方向に延びる。また、前述のように、ベアリング５２は、カセット本体１１の外側に突出する。また、図１０（ｉｉ）に示すように、リンク部材６０はカセット本体１１の上下方向に垂直に延び、リンク部材６０の下端部６２はカセット本体１１の底面よりも下方に突出する。
【００２６】
次に、ホッパープレート２２に重要物Ａを積載した状態で重要物管理カセット１０を重要物管理ユニット１に収納する場合、図１１（ｉｉ）に示すように、リンク部材６０の下端部６２が重要物管理ユニット１のユニット本体５の底面５ｂに当接して押し上げられ、リンク部材６０が方向Ｐ２に回動する。これにより、リンク部材６０の上端部６３の位置は背面側Ｂに移動し、ストッパープレート５０のベアリング５２に当接する。そして、図１１（ｉ）に示すように、ストッパープレート５０はスプリング蝶番５１を中心にして方向Ｐ３に回動する。そして、ストッパープレート５０の端部５０ａは重要物移動規制位置Ｑに位置するように移動する。なお、重要物Ａの背面側Ｂの端部が重要物移動規制位置Ｑよりもさらに背面側Ｂにずれると、ピックローラ３１によって一番上に積載された重要物Ａを送り出すことが困難になるものとする。
【００２７】
以上より、この実施の形態に係る重要物管理カセット１０では、カセット本体１１と支持台２１との間に設けられる高さ調整スプリング１５が、支持台２１を高さが高くなる方向に付勢している。これにより、ホッパープレート２２とピックローラ３１との間に挟持される重要物Ａの量と厚みに応じて支持台２１及びホッパープレート２２の高さが適宜調整される。従って、重要物Ａの各々の厚みに関係なく、重要物管理カセット１０に重要物を収納することができる。
また、ホッパープレート２２は支持台２１に対して上側円錐スプリング４２を介して傾動可能である。そのため、重要物Ａに凹凸があって厚みが不均一である場合も、厚みのばらつきが吸収され、ホッパープレート２２とピックローラ３１との間で重要物Ａが確実に挟持される。従って、ピックローラ３１は一番上に積載された重要物Ａをスムーズにフィードローラ３２に受け渡すことができる。すなわち、重要物管理装置１００の外部への重要物Ａの送出がスムーズになる。
また、誤って一番上の重要物Ａを重要物管理装置１００から取出してしまった場合であっても、支持台２１の高さを押し縮めて、重要物積載部２０に積載された重要物Ａの上とピックローラ３１との間に一度取り出した重要物Ａを再び戻すことができる。従って、重要物Ａが連番で保管されている場合も、番号の順番を乱さずに重要物Ａを重要物管理カセット１０に戻して再度保管することができる。
【００２８】
また、フィードローラ３２は、カセット本体１１に対してフィードローラ回動支点３８を介して回動可能に設けられている。従って、送出する重要物Ａの厚みに応じて、フィードローラ３２の位置が変動するとともに、フィードローラ３２とリバースローラ３３との間の間隔が変化する。これによって、フィードローラ３２は、様々な厚みの重要物Ａを重要物取出口１１ｃに送出することができるとともに、重要物管理装置１００の外部への重要物Ａの取出しがよりスムーズになる。
【００２９】
さらに、移動規制部としてのストッパープレート５０がカセット本体１１に対して回動することにより、ストッパープレート５０の端部５０ａは重要物移動規制位置Ｑに移動し、重要物Ａの前後方向のずれを規制する。これにより、ピックローラ３１はより確実に重要物Ａをフィードローラ３２に受け渡すことができる。
また、ストッパープレート５０は、リンク部材６０を介して、重要物管理カセット１０が重要物管理ユニット１にセットされる時にのみ回動し、その結果、ストッパープレート５０の端部５０ａが重要物移動規制位置Ｑに移動される。従って、重要物管理カセット１０が重要物管理ユニット１から取り外されている間はストッパープレート５０の端部５０ａは重要物Ａの積載位置から離間した位置に配置されており、重要物Ａの補充作業がしやすい。一方、重要物管理カセット１０が重要物管理ユニット１にセットされた時は、ストッパープレート５０の端部５０ａは重要物移動規制位置Ｑに移動するため、重要物管理カセット１０が重要物管理ユニット１に押し込まれた衝撃で重要物Ａの位置がずれてしまう事態が防止される。
【００３０】
また、以上より、重要物管理カセット１０を有する重要物管理ユニット１及び重要物管理装置１００においても、同様に、厚みの異なる板形状の重要物Ａを保管するとともに、重要物Ａの厚みが不均一であってもスムーズに外部に送出し、取出すことができる。
【符号の説明】
【００３１】
１  重要物管理ユニット、１０  重要物管理カセット、１１  カセット本体、１１ｃ  重要物取出口、１５  高さ調整スプリング（第一弾性部材）、２１  支持台、２２  ホッパープレート、３１  ピックローラ、３２  フィードローラ、３８  フィードローラ回動支点、４２  上側円錐スプリング（第二弾性部材）、５０  ストッパープレート、５０ａ  ストッパープレートの端部、１００  重要物管理装置、Ａ  重要物、Ｑ  重要物移動規制位置。
【図１】
2018168534.tif 000003
【図２】
2018168534.tif 000004
【図３】
2018168534.tif 000005
【図４】
2018168534.tif 000006
【図５】
2018168534.tif 000007
【図６】
2018168534.tif 000008
【図７】
2018168534.tif 000009
【図８】
2018168534.tif 000010
【図９】
2018168534.tif 000011
【図１０】
2018168534.tif 000012
【図１１】
2018168534.tif 000013